(57)【特許請求の範囲】
【請求項１】
被写体像を撮像するための撮像手段と、
撮影設定を変更可能な撮影設定変更手段と、
撮影画像に撮影設定を記憶する記憶手段と、
前記撮像手段により撮像された撮影画像や撮影設定情報を表示する画像表示手段と、
前記画像表示手段に表示した撮影画像から任意の画像を選択可能な画像選択スイッチと、
選択した画像を削除する削除ボタンと、
削除する画像から失敗頻度を計測する失敗頻度計測手段と、を有し、
ユーザーが前記撮影設定変更手段によって撮像装置の撮影設定を変更し、前記撮像手段によって撮影された撮影画像を前記画像表示手段で表示し、前記画像選択スイッチにて画像を選択し、かつ、前記削除ボタンが押されて画像が削除されるタイミング時に、削除される画像に記憶されている撮影設定の中で、所定の設定項目について、前記失敗頻度計測手段によって設定値を抽出し、設定回数を加算することを特徴とする撮像装置。
【請求項２】
請求項１記載の撮像装置において、前記失敗頻度計測手段で取得した情報に基づき、設定回数の上位から画像表示手段に表示するモードを有することを特徴とする撮像装置。
【請求項３】
請求項２記載の撮像装置において、設定項目毎に設定回数の上位から画像表示手段に表示することを特徴とする撮像装置。
【請求項４】
請求項１記載の撮像装置において、前記失敗頻度計測手段で取得した情報に基づいて、設定回数が上位の撮影設定条件が複数の設定項目で発生するような撮影条件が生じたとき、警告メッセージを画像表示手段に表示することを特徴とする撮像装置。
【請求項５】
請求項１記載の撮像装置において、所定の設定項目とはＩＳＯ感度であり、ＩＳＯ感度の設定値毎に設定回数を失敗頻度計測手段にて計測することを特徴とする撮像装置。
【請求項６】
請求項１記載の撮像装置において、所定の設定項目とはシャッター速度であり、シャッター速度の設定値毎に設定回数を失敗頻度計測手段にて計測することを特徴とする撮像装置。
【請求項７】
請求項１記載の撮像装置において、所定の設定項目とは露出設定であり、露出設定の設定値毎に設定回数を失敗頻度計測手段にて計測することを特徴とする撮像装置。
【請求項８】
請求項１記載の撮像装置において、所定の設定項目とはホワイトバランス設定であり、ホワイトバランスの設定値毎に設定回数を失敗頻度計測手段にて計測することを特徴とする撮像装置。
【請求項９】
請求項１記載の撮像装置において、所定の設定項目とはマクロモードであり、マクロモードのＯＮ／ＯＦＦで設定回数を失敗頻度計測手段にて計測することを特徴とする撮像装置。
【請求項１０】
請求項１記載の撮像装置において、所定の設定項目とはシーンモードであり、設定したシーンモードの設定毎に設定回数を失敗頻度計測手段にて計測することを特徴とする撮像装置。
【請求項１１】
請求項１記載の撮像装置において、所定の設定項目とは手振れ補正設定であり、手振れ補正設定のＯＮ／ＯＦＦで設定回数を失敗頻度計測手段にて計測することを特徴とする撮像装置。
【請求項１２】
請求項１記載の撮像装置において、所定の設定項目とはフォーカス設定であり、フォーカスの設定毎に設定回数を失敗頻度計測手段にて計測することを特徴とする撮像装置。
【請求項１３】
請求項１記載の撮像装置において、所定の設定項目とはズームレンズ位置設定であり、ズームレンズ位置の設定毎に設定回数を失敗頻度計測手段にて計測することを特徴とする撮像装置。
【発明の詳細な説明】
【技術分野】
【０００１】
本発明は、電子画像を撮像し再生するカメラなどの撮像装置に関するもので、失敗画像の削除処理に特徴を有するものである。
【背景技術】
【０００２】
最近のカメラでは、ＡＦ（オートフォーカス）、ＡＥ（オート露出制御）、ＡＷＢ（オートホワイトバランス）など撮影環境に応じてカメラが自動的に撮影シーンを判断し、適正なフォーカス、露出、ホワイトバランスで撮影を行う機能が備わっている。しかし、ＡＦ、ＡＥ、ＡＷＢはカメラメーカーが想定した状況下で最適と考える設定を行っているのであって、全てのユーザーにとって最適と感じるかは別である。そのような点を考慮して、多くのカメラではユーザーが任意にカメラ設定を変更できるマニュアル設定機能を備えている。カメラ設定を自由に変えられることによりユーザーの選択肢は広がる。一方、どのようなカメラ設定の撮影で失敗したかということは、撮影シーンとカメラ設定をユーザーが記憶しておいて、次に同様の状況下になったときにカメラ設定を思い出して避けるようにする以外に方法がない。
【０００３】
そこで、本発明は、ある特定の撮影画像が失敗画像であるとユーザーが判断してその画像を削除したとき、削除された画像の撮影条件などを解析し、その後の撮影において、なるべく失敗のない撮影ができるようにユーザーをサポートするという発想のもとになされたものである。
【０００４】
本発明に関連のある先行技術として、ユーザーが撮影した画像データの撮影状態を分析し、分析結果に対応する発生頻度を蓄積し、集計および蓄積された各状態項目の頻度と予め設定したしきい値を比較し、しきい値を超えた場合にアドバイス情報を表示する手段を備えた撮影アドバイスカメラがある（例えば、特許文献１参照）。
【０００５】
また、デジタルカメラの稼働状態を表す稼働情報、例えば総撮影回数や各種の撮影モード毎の利用回数、ストロボ使用回数などを収集して記録メディアに記録し、顧客が写真プリント受付店へ写真処理を依頼する際に記録メディアから稼動情報を読み出し、通信網を介してデータセンタへ転送され写真関連情報データベースに記憶し、カメラメーカーは製造しているデジタルカメラに対応する稼働情報をデータセンタから定期的に受信し、受信した稼働情報をデジタルカメラの機種毎に集計して分析することで、当該機種の改良や次機種の開発に利用することができる技術も知られている（例えば、特許文献２参照）。
【０００６】
カメラの電源起動時や電源オフ時に、ＬＣＤモニタ上にカメラ情報、例えば、カメラ撮影モード、電池残量、可能撮影枚数などの情報を表示する撮像装置も知られている（例えば、特許文献３参照）。
【０００７】
【特許文献１】特開２００４−１１２０５４号公報
【特許文献２】特開２００４−０９６７１８号公報
【特許文献３】特開２００５−２３６７０２号公報
【発明の開示】
【発明が解決しようとする課題】
【０００８】
上記各特許文献などで知られている従来の技術には、撮影画像ごとに撮影条件などの撮影データを分析し処理して記録し、その後の撮影やカメラの開発などに役立てることができるものがある。しかし、失敗画像であるとユーザーが判断してその画像を削除したとき、削除された画像の撮影条件などを解析し、その後の撮影に活かすことを意図したカメラなどの撮像装置に関しては知られていない。
仮に、カメラなどの撮像装置に保存されている撮影画像の中に、ユーザーが失敗画像であると判断している画像があり、その画像を削除したとき、その画像の撮影条件などのデータが残っていれば、それを解析することにより、どのような撮影条件の場合に失敗する可能性が高いかを把握することができ、以後の撮影では失敗のない、あるいは失敗の確率の低い条件下で撮影する、というように、以後の撮影に活かすことができる。
【０００９】
そこで本発明は、ある特定の撮影画像が失敗画像であるとユーザーが判断してその画像を削除したとき、削除された画像の撮影条件などを解析し、その後の撮影に活かすことができる撮像装置を提供することを目的とする。
【課題を解決するための手段】
【００１０】
本発明は、被写体像を撮像するための撮像手段と、撮影設定を変更可能な撮影設定変更手段と、撮影画像に撮影設定を記憶する記憶手段と、前記撮像手段により撮像された撮影画像や撮影設定情報を表示する画像表示手段と、前記画像表示手段に表示した撮影画像から任意の画像を選択可能な画像選択スイッチと、選択した画像を削除する削除ボタンと、削除する画像から失敗頻度を計測する失敗頻度計測手段と、を有し、ユーザーが前記撮影設定変更手段によって撮像装置の撮影設定を変更し、前記撮像手段によって撮影された撮影画像を前記画像表示手段で表示し、前記画像選択スイッチにて画像を選択し、かつ、前記削除ボタンが押されて画像が削除されるタイミング時に、削除される画像に記憶されている撮影設定の中で、所定の設定項目について、前記失敗頻度計測手段によって設定値を抽出し、設定回数を加算することを最も主要な特徴とする撮像装置である。
【００１１】
上記撮像装置において、前記失敗頻度計測手段で取得した情報に基づき、設定回数の上位から画像表示手段に表示するモードを有しているとよい。
設定項目毎に設定回数の上位から画像表示手段に表示するようにするとよい。
前記失敗頻度計測手段で取得した情報に基づいて、設定回数が上位の撮影設定条件が複数の設定項目で発生するような撮影条件が生じたとき、警告メッセージを画像表示手段に表示するようにするとよい。
【００１２】
所定の設定項目とはＩＳＯ感度であり、ＩＳＯ感度の設定値毎に設定回数を失敗頻度計測手段にて計測するようにするとよい。
所定の設定項目とはシャッター速度であり、シャッター速度の設定値毎に設定回数を失敗頻度計測手段にて計測するようにするとよい。
所定の設定項目とは露出設定であり、露出設定の設定値毎に設定回数を失敗頻度計測手段にて計測するようにするとよい。
所定の設定項目とはホワイトバランス設定であり、ホワイトバランスの設定値毎に設定回数を失敗頻度計測手段にて計測するようにするとよい。
所定の設定項目とはマクロモードであり、マクロモードのＯＮ／ＯＦＦで設定回数を失敗頻度計測手段にて計測するようにするとよい。
所定の設定項目とはシーンモードであり、設定したシーンモードの設定毎に設定回数を失敗頻度計測手段にて計測するようにするとよい。
所定の設定項目とはフォーカス設定であり、フォーカスの設定毎に設定回数を失敗頻度計測手段にて計測するようにするとよい。
所定の設定項目とは手振れ補正設定であり、手振れ補正設定のＯＮ／ＯＦＦで設定回数を失敗頻度計測手段にて計測するようにするとよい。
所定の設定項目とはズームレンズ位置設定であり、ズームレンズ位置の設定毎に設定回数を失敗頻度計測手段にて計測するようにするとよい。
【発明の効果】
【００１３】
本発明によると、撮影画像削除時にカメラ設定の情報を取得することで、ユーザーが自分の判断で撮影画像が失敗しているかどうか判断することができ、ユーザーそれぞれの失敗頻度データを構築することができる。
失敗頻度データを表示することにより、ユーザーはどのような設定で失敗撮影が多いのかを認識することができる。
失敗頻度データを利用することにより、失敗撮影の発生頻度が高い状況においてカメラが自動的に回避するように制御することができる。
失敗頻度データを利用することにより、失敗撮影の発生頻度が高い状況においてユーザーに警告メッセージを表示することができる。
【００１４】
また、ユーザーそれぞれの失敗頻度データを使用することにより、ユーザーそれぞれの失敗撮影のクセを検知し警告メッセージを表示することができる。
失敗頻度データを利用することにより、無数にあるカメラ設定の中で失敗撮影の少ない設定を見つけることができる。
【発明を実施するための最良の形態】
【００１５】
以下、図面を参照しながら本発明にかかる撮像装置の実施の形態について説明する。図１ないし図３は、本発明にかかる撮像装置の実施形態であるデジタルカメラの例を示す外観図であり、図４は、同デジタルカメラの制御系の例を示すブロック図である。なお、本明細書において、液晶表示デバイス（素子）は「ＬＣＤ」、オートフォーカスは「ＡＦ」、中央演算処理ユニットは「ＣＰＵ」、発光ダイオードは「ＬＥＤ」と表示する。
【００１６】
図１ないし図３に示すように、デジタルカメラは、カメラ上面に、サブＬＣＤ１と、レリーズボタン２と、撮影／再生切り換えダイヤル４を備えている。サブＬＣＤ１は、例えば、撮影可能枚数などの情報を表示するための表示部である。また、カメラ正面に、ストロボ発光部３と、測距ユニット５と、リモコン受光部６と、撮影レンズ鏡胴ユニット７と、光学ファインダー（正面）１１ａが配置されている。符号１２１は、後述のメモリカード１３０を挿入するメモリカードスロットを示しており、カメラ側面に設けてある。さらに、カメラ裏面には、ＡＦ表示用のＬＥＤ８と、ストロボ表示用のＬＥＤ９と、ＬＣＤモニタ１０と、光学ファインダー（裏面：接眼部）１１ｂと、ズームボタン１２と、電源スイッチ１３と、操作部１４が配置されている。上記レリーズボタン２、撮影／再生切り換えダイヤル４、ズームボタン１２、電源スイッチ１３のほか、各種操作キーの操作によってオン・オフ動作するスイッチを備えている。これらの操作キーを、図４では「操作キーユニットＳＷ１〜１３」として一括して表している。
【００１７】
図１ないし図３，図４に基づいてデジタルカメラの動作を説明する。図１，図２において、ストロボ発光部３，ストロボ回路１１４は、自然光などの光が足りない場合に光量を補う装置である。暗い場所や被写体が暗い場合の撮影においては、後述するデジタルスチルカメラプロセッサ１０４からストロボ回路１１４にストロボ発光信号を送信する。ストロボ回路１１４は、ストロボ発光部３の動作を制御するもので、上記プロセッサ１０４からの信号によりストロボ発光部３を発光させ被写体を明るくする。
【００１８】
測距ユニット５は、カメラと被写体との距離を測る装置である。現在のデジタルカメラの多くは、撮像素子（ＣＣＤ）に形成された像のコントラストを検出し、最もコントラストの高い位置にレンズを移動させてフォーカスを合わせるＣＣＤ−ＡＦ方式を採用している。しかし、ＣＣＤ−ＡＦ方式は、レンズを少しずつ動かしながらコントラストを検出し、最もコントラストの高い位置を探していくため、フォーカス動作が遅いという問題があった。そこで、測距ユニット５を用いて被写体との距離情報を常に取得し、距離情報からレンズを一気に移動してフォーカス動作を高速化している。温度センサ１２４（図４参照）は環境温度を測定する装置で、カメラ内外の温度を測定する。温度測定の結果は、温度が異常に上昇している場合にカメラの電源を落とす、あるいは、温度センサのデータを参照してカメラの制御内容を変更する、というようにして利用する。
【００１９】
図４において、鏡胴ユニット７は、被写体の光学画像を取り込むズームレンズ７−１ａ、ズーム駆動モータ７−１ｂからなるズーム光学系７−１と、フォーカスレンズ７−２ａ、フォーカス駆動モータ７−２ｂからなるフォーカス光学系７−２と、絞り７−３ａ、絞りモータ７−３ｂからなる絞りユニット７−３と、メカシャッタ７−４ａ、メカシャッタモータ７−４ｂからなるメカシャッタユニット７−４と、各モータを駆動するモータドライバ７−５を有する。そして、モータドライバ７−５は、図１ないし図３に示すリモコン受光部６入力や、各種操作部キーの操作に基づくスイッチのオン・オフ動作により、後述するカメラプロセッサ１０４内にあるＣＰＵブロック１０４−３からの駆動指令により駆動制御される。
【００２０】
ＲＯＭ１０８には、ＣＰＵブロック１０４−３にて解読可能なコードで記述された、制御プログラムや制御するためのパラメータが格納されている。このデジタルカメラの電源がオン状態になると、前記プログラムはＳＤＲＡＭ１０３にロードされ、前記ＣＰＵブロック１０４−３はそのプログラムに従って装置各部の動作を制御するとともに、制御に必要なデータ等を、一時的に、ＲＡＭ１０７および後述するカメラプロセッサ１０４内にあるローカル（Ｌｏｃａｌ）ＳＲＡＭ１０４−４に保存する。ＲＯＭ１０８として書き換え可能なフラッシュＲＯＭを使用することで、制御プログラムや制御するためのパラメータを変更することが可能となり、撮像装置の機能のバージョンアップを容易に行うことができる。
【００２１】
ＣＣＤ１０１は、光学画像を光電変換するための固体撮像素子である。Ｆ／Ｅ（フロントエンド）−ＩＣ１０２は、画像ノイズ除去用相関二重サンプリングを行うＣＤＳ１０２−１、利得調整を行うＡＧＣ１０２−２、ディジタル信号変換を行うＡ／Ｄ１０２−３、ＴＧ（タイミングジェネレータ）１０２−４を有する。ＴＧ１０２−４には、ＣＣＤ１信号処理ブロック１０４−１より、垂直同期信号（以下、「ＶＤ信号」と記す。）、水平同期信号（以下、「ＨＤ信号」と記す。）が供給される。ＴＧ１０２−４は、上記ＶＤ、ＨＤにしたがって、ＣＰＵブロック１０４−３によって制御されるＣＣＤ１０１、およびＦ／Ｅ−ＩＣ１０２の駆動タイミング信号を発生する。
【００２２】
カメラプロセッサ１０４は、以下のような信号処理ブロックないしは機能ブロックをそなえている。
ＣＣＤ１０１からＦ／Ｅ―ＩＣ１０２を経て出力されるデータにホワイトバランス設定やガンマ設定を行い、また、ＶＤ信号、ＨＤ信号をＴＧ１０２−４に供給するＣＣＤ１信号処理ブロック１０４−１。
フィルタリング処理により、輝度データ・色差データへの変換を行うＣＣＤ２信号処理ブロック１０４−２。
前述した装置各部の動作を制御するＣＰＵブロック１０４−３。
前述した制御に必要なデータ等を一時的に保存するローカルＳＲＡＭ１０４−４。
パソコンなどの外部機器とＵＳＢ通信を行うＵＳＢブロック１０４−５。
パソコンなどの外部機器とシリアル通信を行うシリアルブロック１０４−６。
ＪＰＥＧ圧縮・伸張を行うＪＰＥＧＣＯＤＥＣブロック１０４−７。
画像データのサイズを補間処理により拡大／縮小するＲＥＳＩＺＥブロック１０４−８。
画像データを液晶モニタやＴＶなどの外部表示機器に表示するためのビデオ信号に変換するＴＶ信号表示ブロック１０４−９。
撮影された画像データを記録するメモリカードの制御を行うメモリカードコントローラブロック１０４−１０。
【００２３】
ＳＤＲＡＭ１０３は、前述したカメラプロセッサ１０４で画像データに各種処理を施す際に、画像データを一時的に保存する。保存される画像データの例は以下のとおりである。
ＣＣＤ１０１からＦ／Ｅ−ＩＣ１０２を経由して取り込み、ＣＣＤ１信号処理ブロック１０４−１でホワイトバランス設定、ガンマ設定が行われた状態の「ＲＡＷ−ＲＧＢ画像データ」。
ＣＣＤ２信号処理ブロック１０４−２で輝度データ・色差データ変換が行われた状態の「ＹＣｂＣｒ画像データ」。
ＪＰＥＧＣＯＤＥＣブロック１０４−７でＪＰＥＧ圧縮された「ＪＰＥＧ画像データ」。
【００２４】
メモリカードスロット１２１は、着脱可能なメモリカードを装着するためのスロットである。内蔵メモリ１２０は、前述したメモリカードスロット１２１にメモリカードが装着されていない場合であっても、撮影した画像データを記憶できるようにするためのメモリである。
【００２５】
ＬＣＤドライバ１１７は、後述するＬＣＤモニタ１０を駆動するドライブ回路であり、ＴＶ信号表示ブロック１０４−９から出力されるビデオ信号を、ＬＣＤモニタ１０に表示するための信号に変換する機能も有している。ＬＣＤモニタ１０は、撮影前に被写体の状態を監視する、撮影した画像を確認するために表示する、メモリカードや前述した内蔵メモリ１２０に記録した画像データを表示する、などの役割を持ったモニタである。ビデオＡＭＰ１１８は、ＴＶ信号表示ブロック１０４−９から出力されるビデオ信号を、７５Ωインピーダンス変換するためのアンプである。ビデオジャック１１９は、ＴＶなどの外部表示機器と接続するためのジャックである。ＵＳＢコネクタ１２２は、パソコンなどの外部機器とＵＳＢ接続を行うためのコネクタである。シリアルドライバ回路１２３−１は、パソコンなどの外部機器とシリアル通信を行うために、前述したシリアルブロック１０４−６の出力信号を電圧変換するための回路である。ＲＳ−２３２Ｃコネクタは、パソコンなどの外部機器とシリアル接続を行う溜めのコネクタである。
【００２６】
ＳＵＢ−ＣＰＵ１０９は、ＲＯＭ・ＲＡＭをワンチップにして内蔵したＣＰＵである。ＳＵＢ−ＣＰＵ１０９は、操作キーユニットＳＷ１〜１３やリモコン受光部６の出力信号をユーザーの操作情報として、前述したＣＰＵブロック１０４−３に出力し、あるいは、前述したＣＰＵブロック１０４−３より出力されるカメラの状態を、後述するサブＬＣＤ１、ＡＦＬＥＤ８、ストロボＬＥＤ９，ブザー１１３の制御信号に変換して出力する。サブＬＣＤ１は、例えば、撮影可能枚数など表示するための表示部であり、ＬＣＤドライバ１１１は、前述したＳＵＢ−ＣＰＵ１０９の出力信号より、前述したサブＬＣＤ１を駆動するためのドライブ回路である。ＡＦＬＥＤ８は、撮影時の合焦状態を表示するためのＬＥＤであり、ストロボＬＥＤ９は、ストロボ充電状態を表すためのＬＥＤである。なお、このＡＦＬＥＤ８とストロボＬＥＤ９を、メモリカードアクセス中などの別の表示用途に使用してもよい。操作キー（Ｋｅｙ）ユニットＳＷ１〜１３は、ユーザーが操作する各種キー操作でオン・オフするスイッチをまとめた回路である。リモコン受光部６は、ユーザーが操作するリモコン送信機から送信される信号の受信部である。
【００２７】
音声記録ユニット１１５は、ユーザーが音声信号を入力するマイク１１５−３、入力された音声信号を増幅するマイクＡＭＰ１１５−２、増幅された音声信号を記録する音声記録回路１１５―３からなる。音声再生ユニット１１６は、記録された音声信号をスピーカーから出力できる信号に変換する音声再生回路１１６−１、変換された音声信号を増幅し、スピーカーを駆動するためのオーディオＡＭＰ１１６−２、音声信号を出力するスピーカー１１６−３からなる。
【００２８】
上述のように構成されたデジタルカメラの動作、特に、本発明の特徴部分について重点的に説明する。図５は本発明の特徴部分である撮影画像削除時に所定の設定項目の設定回数を加算する（失敗頻度データ取得）一連の動作を示している。各動作ステップをＳ１，Ｓ２，・・・のように表記する。ユーザーは、ある画像を削除しようとするときは、まず再生ボタン１６を押す。再生ボタン１６が押されると（Ｓ１）、画像表示手段であるＬＣＤモニタ１０に撮影画像が表示される（Ｓ２）。次に、ユーザーは画像選択スイッチとして操作Ｋｅｙユニットの例えば十字状に配置されているキーを使用し、再生画像を変更して削除したい画像を表示させる（Ｓ３）。削除したい画像が表示されたら削除ボタン１７を押して削除を決定する（Ｓ４）。
【００２９】
削除ボタン１７が押されたら、デジタルカメラは削除画像のデータ分析を行う（Ｓ５）。データ分析には、ＤＣＦ（Ｄｅｓｉｇｎ  ｒｕｌｅ  ｆｏｒ  Ｃａｍｅｒａ  Ｆｉｌｅ  Ｓｙｓｔｅｍ）のファイルシステムの規格に準拠した、Ｅｘｉｆ（Ｅｘｃｈａｎｇｅａｂｌｅ  ｉｍａｇｅ  ｆｉｌｅ  ｆｏｒｍａｔ  ｆｏｒ  ｄｉｇｉｔａｌ  ｓｔｉｌｌ  ｃａｍｅｒａ）データを用いることができる。デジタルカメラのファイルフォーマットとしてはＪＰＥＧデータが主流であるが、ＥｘｉｆデータはＪＰＥＧ画像のファイルヘッダーに記録されており、レンズＦ値、ＩＳＯ感度、シャッター秒時、露出補正量など撮影時のカメラ設定を記録している。また、ＲＡＷ−ＲＧＢ画像データ（以下、「ＲＡＷデータ」という）の場合も、カメラメーカーによりフォーマットが異なっているが、米アドビシステムズが提唱している「Ｄｉｇｉｔａｌ  Ｎｅｇａｔｉｖｅ」（ＤＮＧ）の画像ファイル形式では、同様にレンズＦ値、ＩＳＯ感度、シャッター秒時、露出補正量など撮影時のカメラ設定を記録しており、これを利用することができる。
【００３０】
データ分析方法として以下の２つの方法を実施例として挙げる。撮影データに記録されている撮影時のカメラ設定情報から、所定の設定項目に注目する。所定の設定項目はカメラ内に固定されていてもよいし、ユーザーが設定できるようにしてもよい。例えば、ＩＳＯ感度、シャッター速度を所定の設定項目とし、削除される画像と画像情報を以下の通りとする。
Ａ画像（ＩＳＯ感度：１００，シャッター速度：１／３ｓ）
Ｂ画像（ＩＳＯ感度：１５０，シャッター速度：１／１５ｓ）
Ｃ画像（ＩＳＯ感度：１００，シャッター速度：１／２０ｓ）
Ｄ画像（ＩＳＯ感度：２００，シャッター速度：１／３ｓ）
Ｅ画像（ＩＳＯ感度：１００，シャッター速度：１／８ｓ）
以上の画像のデータをＩＳＯ感度とシャッター速度でそれぞれ頻度を集計すると以下のようになる。
ＩＳＯ感度（１００：３，１５０：１，２００：１）
シャッター速度（１／３ｓ：２，１／８ｓ：１，１／１５ｓ：１，１／２０ｓ：１）
ＩＳＯ感度ではＩＳＯ１００で、シャッター速度では１／３ｓでそれぞれ失敗頻度が高くなっていることが分かる。
【００３１】
［複数項目で考慮する場合］
次に、複数の設定データの相関を考慮したデータ分析方法の実施例を示す。削除される画像の画像情報を以下の通りとする。
Ａ画像（ＩＳＯ感度：１００，シャッター速度：１／３ｓ）
Ｂ画像（ＩＳＯ感度：１５０，シャッター速度：１／１５ｓ）
Ｃ画像（ＩＳＯ感度：１００，シャッター速度：１／２０ｓ）
Ｄ画像（ＩＳＯ感度：２００，シャッター速度：１／８ｓ）
Ｅ画像（ＩＳＯ感度：１００，シャッター速度：１／８ｓ）
Ｆ画像（ＩＳＯ感度：１５０，シャッター速度：１／８ｓ）
Ｇ画像（ＩＳＯ感度：１００，シャッター速度：１／１５ｓ）
Ｈ画像（ＩＳＯ感度：１００，シャッター速度：１／３ｓ）
Ｉ画像（ＩＳＯ感度：２００，シャッター速度：１／８ｓ）
Ｊ画像（ＩＳＯ感度：１００，シャッター速度：１／３ｓ）
ＩＳＯ感度とシャッター速度でそれぞれの項目の頻度を見ると、
ＩＳＯ感度（１００：６，１５０：２，２００：２）
シャッター速度（１／８ｓ：４，１／３ｓ：３，１／１５ｓ：２，１／２０ｓ：１）
ＩＳＯ感度ではＩＳＯ１００で、シャッター速度では１／８ｓでそれぞれ失敗頻度が高くなっていることが分かる。
【００３２】
一方、ＩＳＯ感度とシャッター速度の２つの組合せの頻度を見たときには、
（ＩＳＯ感度，シャッター速度）＝
（１００，１／３ｓ）  ：３，
（２００，１／８ｓ）  ：２，
（１００，１／８ｓ）  ：１，
（１５０，１／８ｓ）  ：１，
（１００，１／１５ｓ）：１，
（１５０，１／１５ｓ）：１，
（１００，１／２０ｓ）：１，
となる。ＩＳＯ１００でシャッター速度１／３ｓのときに失敗頻度が高くなっていることが分かり、それぞれの項目で見たときよりも失敗状況が鮮明となる利点がある。本実施例では２つの項目での相関を見たが、本発明はこれに限定されず２以上の項目の組合せでデータを取得することも含まれる。
【００３３】
以上、図５における削除画像データ分析ステップ（Ｓ５）について具体的に説明した。次に、削除画像の所定の設定項目の設定回数を加算し（Ｓ６）、その後指定された画像の削除を実行する（Ｓ７）。次に、指定された画像のすべてを削除したか否かを判断し（Ｓ８）、終了していなければステップＳ３に戻ってそれ以降のステップを実行し、指定された画像のすべてを削除した場合は、一連の削除動作を終了する。
【００３４】
最近のカメラには、ユーザーが誤って必要なファイルを削除した場合にカメラの電源をオフしない範囲であれば、削除ファイルを復活させる機能が備わっているものがある。そのような機能がある撮像装置においては、画像が復活されたときに、復活した画像ファイルの画像情報を取得し、加算した設定回数から復活画像ファイルに該当する設定項目については減算処理を行ってもよい。メモリカードの容量が不足し、メモリカードをフォーマットし、また、画像を一括削除する場合がある。こういった場合、撮影が失敗しているとは言えない場合が多いため、失敗頻度を取得しないようにしてもよい。上記の方法で分析し取得した失敗頻度データをカメラ内部のＳＤＲＡＭ１０３に保存し、デジタルカメラの電源がオフされるときに書換え可能なフラッシュＲＯＭ１０８に記憶させるようにすると、デジタルカメラで削除した画像の情報を全て保持することができる。上記のようにして取得した失敗頻度データを利用する方法を以下に示す。
【００３５】
上記のようにして取得した失敗頻度データを表示するモードを準備する。表示方法としては、例えば図６に示すように失敗頻度回数の上位から所定の順位までの設定組合せを表示するようにしてもよい。あるいは、図７に示すように設定項目別に失敗頻度回数の高い設定を表示するようにしてもよい。さらに、図８に示すように、カメラ設定時に失敗頻度データを表示するようにしてもよい。こうすることで、失敗しやすい設定を見ながら撮影条件を設定することができるため、失敗撮影設定を未然に防ぐことができる。
【００３６】
デジタルカメラでは撮影タイミングを決定するレリーズボタン２が２段式となっており、多くのカメラでは、１段階目で半押し状態、２段階目で撮影されるようになっている。半押し状態のときにフォーカス、露出、ホワイトバランスなどの撮影設定データが決定される。そこで、半押し状態のときにカメラ設定値と失敗頻度データとを照合し、現在のカメラ設定状態が失敗頻度データの上位にある場合には、ＬＣＤモニタ１０に「失敗しやすい撮影設定になっています」のように警告メッセージを表示するようにする。さらに、現在の設定では失敗撮影が予測される場合には、設定変更を促すメッセージを表示してもよいし、「失敗撮影が予測されましたので、ＩＳＯ感度を１００から２００に変更してください。」と詳細に設定変更アドバイスを表示してもよい。その他にも警告音を出すようにしてもよい。
【００３７】
撮影時に、失敗頻度データの上位に該当するカメラ設定条件となったときには、カメラが自動的にその設定にならないように、設定を変更して制御し撮影する構成にするとよい。その場合、設定を自動で変更したときには、ＬＣＤモニタ１０上に「失敗撮影が予測されましたので、ＩＳＯ感度を変更しました」などと表示してもよい。失敗頻度データを参照して警告メッセージを出すか出さないかの判断に関しては、失敗頻度データの上位何番目までに該当する場合には出す、というようにしてもよいし、失敗頻度データの上位３０％、などと表示するようにしてもよい。また、ユーザー側で、どこまで該当する場合に警告メッセージを出すかを調節できるようにしてもよい。警告メッセージ機能についても、警告表示条件を満たせば常に表示させるようにしてもよいし、警告メッセージ機能オン／オフの設定メニューを別に準備してユーザーに選択させ、オフ設定の時には表示させないようにしてもよい。
【００３８】
以上説明した実施例は、削除ボタンが押されて画像が削除されるタイミング時に、削除される画像に記憶されている撮影設定の中で、所定の設定項目について、前記失敗頻度計測手段によって設定値を抽出し、設定回数を加算するようになっている。上記「所定の設定項目」とは、以下に列挙するように、各種の項目があり、それに応じた失敗頻度計測を行うようにする。
所定の設定項目とはＩＳＯ感度であり、ＩＳＯ感度の設定値毎に設定回数を失敗頻度計測手段にて計測する。
所定の設定項目とはシャッター速度であり、シャッター速度の設定値毎に設定回数を失敗頻度計測手段にて計測する。
所定の設定項目とは露出設定であり、露出設定の設定値毎に設定回数を失敗頻度計測手段にて計測する。
所定の設定項目とはホワイトバランス設定であり、ホワイトバランスの設定値毎に設定回数を失敗頻度計測手段にて計測する。
所定の設定項目とはマクロモードであり、マクロモードのＯＮ／ＯＦＦで設定回数を失敗頻度計測手段にて計測する。
所定の設定項目とはシーンモードであり、設定したシーンモードの設定毎に設定回数を失敗頻度計測手段にて計測する。
所定の設定項目とは手振れ補正設定であり、手振れ補正設定のＯＮ／ＯＦＦで設定回数を失敗頻度計測手段にて計測する。
所定の設定項目とはフォーカス設定であり、フォーカスの設定毎に設定回数を失敗頻度計測手段にて計測する。
所定の設定項目とはズームレンズ位置設定であり、ズームレンズ位置の設定毎に設定回数を失敗頻度計測手段にて計測する。
【００３９】
以上説明した実施例はデジタルカメラの例であったが、本発明はこれに限定されるものではなく、撮影画像を記録、再生する画像機器装置や携帯電子機器などにも適用される。
【図面の簡単な説明】
【００４０】
【図１】本発明に係る撮像装置の一実施例としてデジタルカメラの例を示す上面図である。
【図２】上記デジタルカメラの正面図である。
【図３】上記デジタルカメラの背面図である。
【図４】上記デジタルカメラの制御系の例を示すブロック図である。
【図５】上記デジタルカメラにおける失敗頻度データ取得動作を示すフローチャートである。
【図６】上記デジタルカメラにおける失敗頻度の表示例を示す概念図である。
【図７】上記デジタルカメラにおける失敗頻度の別の表示例を示す概念図である。
【図８】上記デジタルカメラにおける撮影設定時の失敗頻度の表示例を示す概念図である。
【符号の説明】
【００４１】
１    サブＬＣＤ
２    レリーズボタン
３    ストロボ発光部
４    撮影／再生切り替えダイヤル
５    測距ユニット
６    リモコン受光部
７    レンズ鏡胴ユニット
１０    ＬＣＤモニタ
１３    電源スイッチ
１４    操作部
１６    再生ボタン
１７    削除ボタン
１２１    メモリカードスロット
１３０    メモリカード
【図１】
0004981716.tif 000002
【図２】
0004981716.tif 000003
【図３】
0004981716.tif 000004
【図４】
0004981716.tif 000005
【図５】
0004981716.tif 000006
【図６】
0004981716.tif 000007
【図７】
0004981716.tif 000008
【図８】
0004981716.tif 000009